(57)【要約】【課題】テレビジョンシステムにおいて、テレビジョン受像機が受信するＴＶ番組を携帯端末から容易に指示操作する。【解決手段】テレビジョンシステムはテレビと携帯電話とを含み、テレビと携帯電話とは相互に通信可能である。テレビはＤＭＲ及びＤＭＳとして機能し、携帯電話はＤＭＣとして機能する。ユーザが携帯電話を用いてＴＶ番組を視聴中に、携帯電話が、テレビに対して、ＥＰＧ情報を要求するための番組情報取得要求を行うコマンドを送信すると（Ｓ２）、テレビが、ＥＰＧ情報を携帯電話に返信する（Ｓ３）。携帯電話は、ＥＰＧ情報の中に、視聴中のＴＶ番組に対応する番組情報があるか否かを判断し（Ｓ４）、対応する番組情報がある場合、テレビに対して、対応するＴＶ番組のＴＶ放送信号を受信して表示するように、このＴＶ番組に対応するコンテンツＵＲＩを通知するコマンドを送信した後（Ｓ５）、再生開始を要求するコマンドを送信する（Ｓ６）。【選択図】図４
2008271197.tif 000002
【特許請求の範囲】
【請求項１】
ネットワークに接続され、相互に通信可能であるテレビジョン受像機と携帯端末とを含み、
前記テレビジョン受像機は、
複数のテレビジョン番組（以下、ＴＶ番組という）のそれぞれに対応するテレビジョン放送信号（以下、ＴＶ放送信号という）のうちの１つを受信するチューナと、
前記チューナによって受信されたＴＶ放送信号に含まれる映像信号に基づいた映像を表示する表示手段と、
前記チューナによって受信されたＴＶ放送信号に含まれる音声信号に基づいた音声を出力する音声出力手段と、
前記ネットワークに接続するための第１ネットワークインタフェースと、
前記テレビジョン受像機の各部を制御するテレビジョン制御手段とを備え、
前記携帯端末は、
複数のＴＶ番組のそれぞれに対応する地上波デジタルテレビ放送信号（以下、デジタルＴＶ放送信号）のうちの１つを受信するデジタルチューナと、
前記ネットワークに接続するための第２ネットワークインタフェースと、
ユーザによって操作され、前記携帯端末に指示を行うための携帯操作手段と、
前記デジタルチューナによって受信されたデジタルＴＶ放送信号に含まれる映像信号に基づいた映像を表示する携帯表示手段と、
前記デジタルチューナによって受信されたデジタルＴＶ放送信号に含まれる音声信号に基づいた音声を出力する携帯音声出力手段と、
前記携帯端末の各部を制御する携帯制御手段とを備えるテレビジョンシステムにおいて、
前記携帯制御手段は、前記デジタルチューナによってＴＶ番組を受信しているときに、ユーザが前記携帯操作手段を用いて所定の操作を行うと、前記テレビジョン受像機に対して、該デジタルチューナによって受信されているＴＶ番組と同じ内容のＴＶ番組を、前記チューナを用いて受信するように指示することを特徴とするテレビジョンシステム。
【請求項２】
前記テレビジョン受像機は、前記チューナによって受信される各ＴＶ番組を案内するための第１ＴＶ番組情報を取得する第１ＴＶ番組情報取得手段をさらに備え、
前記携帯端末は、前記デジタルチューナによって受信される各ＴＶ番組を案内するための第２ＴＶ番組情報を取得する第２ＴＶ番組情報取得手段をさらに備え、
前記携帯操作手段は、前記テレビジョン受像機に対して、前記デジタルチューナによって受信されているＴＶ番組と同じ内容のＴＶ番組を、前記チューナを用いて受信するように指示操作するためのＴＶ番組指示操作手段を有し、
前記携帯制御手段は、前記デジタルチューナによってＴＶ番組を受信しているときに、ユーザによって前記ＴＶ番組指示操作手段が操作されると、前記テレビジョン受像機に対して、第１ＴＶ番組情報取得要求を送信し、
前記テレビジョン制御手段は、前記携帯端末から前記第１ＴＶ番組情報取得要求を受信したとき、前記第１番組情報取得手段により取得された前記第１ＴＶ番組情報を前記携帯端末に送信し、
前記携帯制御手段は、前記テレビジョン受像機から前記第１ＴＶ番組情報を受信したとき、該第１ＴＶ番組情報の中に、前記デジタルチューナによって受信されているＴＶ番組に対応する番組情報があるか否かを判断し、
この判断の結果、対応する番組情報がある場合、前記テレビジョン受像機に対して、この番組情報に対応するＴＶ番組のＴＶ放送信号を受信して表示するように指示するＴＶ番組表示要求を送信し、
前記テレビジョン制御手段は、前記携帯端末から前記ＴＶ番組表示要求を受信したとき、該ＴＶ番組表示要求の内容に基づくＴＶ放送信号を、前記チューナを用いて受信することを特徴とする請求項１に記載のテレビジョンシステム。
【請求項３】
前記テレビジョン受像機と前記携帯端末とは、ＵＰｎＰ（Ｕｎｉｖｅｒｓａｌ  Ｐｌｕｇ  ａｎｄ  Ｐｌａｙ）の規格に従って通信を行うことを特徴とする請求項２に記載のテレビジョンシステム。
【請求項４】
前記テレビジョン受像機は、ＤＭＲ（Ｄｉｇｉｔａｌ  Ｍｅｄｉａ  Ｒｅｎｄｅｒｅｒ）とＤＭＳ（Ｄｉｇｉｔａｌ  Ｍｅｄｉａ  Ｓｅｒｖｅｒ）の機能を持ち、前記携帯端末は、ＤＭＣ（Ｄｉｇｉｔａｌ  Ｍｅｄｉａ  Ｃｏｎｔｒｏｌｌｅｒ）の機能を持つことを特徴とする請求項３に記載のテレビジョンシステム。
【発明の詳細な説明】
【技術分野】
【０００１】
本発明は、テレビジョン受像機と携帯端末とを含むテレビジョンシステムに関し、特にテレビジョン受像機が受信するＴＶ番組を携帯端末から指示操作する技術に関する。
【背景技術】
【０００２】
近年、テレビジョン受像機（以下、テレビという）や携帯電話などの機器を、ネットワークを介して接続し、これらの機器同士が通信を行うものがある。また、この種の携帯電話は、地上波デジタル放送を受信し、テレビジョン番組（以下、ＴＶ番組という）の視聴が可能であることが多い。
【０００３】
ユーザは、外出中に上記携帯電話を用いてＴＶ番組を視聴し、帰宅後にテレビを用いて、同じＴＶ番組を視聴することがある。この場合、ユーザは、携帯電話を用いて視聴しているＴＶ番組と同じＴＶ番組をテレビに受信させるために、携帯電話で視聴しているＴＶ番組に対応する、テレビ側のチャンネルを探した上で、テレビが受信するＴＶ番組を切り替える操作、すなわち、チャンネル切替操作を行う必要がある。そのため、ユーザにとって操作が煩雑であるという問題がある。
【０００４】
特許文献１乃至４には、ＴＶ番組を案内する番組情報の表示が可能である携帯電話と、テレビとが通信可能であり、ユーザが携帯電話から番組情報を参照し、視聴したいＴＶ番組を携帯電話に設定してテレビに送信することにより、テレビのチャンネル切替操作を行うことができるテレビジョンシステムが開示されている。しかし、このシステムでは、ユーザが、番組情報を参照して、視聴したいＴＶ番組を設定する操作を行う必要があるため、上記問題を解決できない。
【特許文献１】特開２００２−５７９５３号公報
【特許文献２】特開２００７−６５１６号公報
【特許文献３】特開２００３−２１９１９６号公報
【特許文献４】特開２００２−３１４８３８号公報
【発明の開示】
【発明が解決しようとする課題】
【０００５】
本発明は、テレビジョン受像機が受信するＴＶ番組を携帯端末から容易に指示操作することができるテレビジョンシステムを提供することを目的とする。
【課題を解決するための手段】
【０００６】
上記目的を達成するために請求項１の発明は、ネットワークに接続され、相互に通信可能であるテレビジョン受像機と携帯端末とを含み、前記テレビジョン受像機は、複数のテレビジョン番組（以下、ＴＶ番組という）のそれぞれに対応するテレビジョン放送信号（以下、ＴＶ放送信号という）のうちの１つを受信するチューナと、前記チューナによって受信されたＴＶ放送信号に含まれる映像信号に基づいた映像を表示する表示手段と、前記チューナによって受信されたＴＶ放送信号に含まれる音声信号に基づいた音声を出力する音声出力手段と、前記ネットワークに接続するための第１ネットワークインタフェースと、前記テレビジョン受像機の各部を制御するテレビジョン制御手段とを備え、前記携帯端末は、複数のＴＶ番組のそれぞれに対応する地上波デジタルテレビ放送信号（以下、デジタルＴＶ放送信号）のうちの１つを受信するデジタルチューナと、前記ネットワークに接続するための第２ネットワークインタフェースと、ユーザによって操作され、前記携帯端末に指示を行うための携帯操作手段と、前記デジタルチューナによって受信されたデジタルＴＶ放送信号に含まれる映像信号に基づいた映像を表示する携帯表示手段と、前記デジタルチューナによって受信されたデジタルＴＶ放送信号に含まれる音声信号に基づいた音声を出力する携帯音声出力手段と、前記携帯端末の各部を制御する携帯制御手段とを備えるテレビジョンシステムにおいて、前記携帯制御手段は、前記デジタルチューナによってＴＶ番組を受信しているときに、ユーザが前記携帯操作手段を用いて所定の操作を行うと、前記テレビジョン受像機に対して、該デジタルチューナによって受信されているＴＶ番組と同じ内容のＴＶ番組を、前記チューナを用いて受信するように指示するものである。
【０００７】
請求項２の発明は、請求項１に記載のテレビジョンシステムにおいて、前記テレビジョン受像機は、前記チューナによって受信される各ＴＶ番組を案内するための第１ＴＶ番組情報を取得する第１ＴＶ番組情報取得手段をさらに備え、前記携帯端末は、前記デジタルチューナによって受信される各ＴＶ番組を案内するための第２ＴＶ番組情報を取得する第２ＴＶ番組情報取得手段をさらに備え、前記携帯操作手段は、前記テレビジョン受像機に対して、前記デジタルチューナによって受信されているＴＶ番組と同じ内容のＴＶ番組を、前記チューナを用いて受信するように指示操作するためのＴＶ番組指示操作手段を有し、前記携帯制御手段は、前記デジタルチューナによってＴＶ番組を受信しているときに、ユーザによって前記ＴＶ番組指示操作手段が操作されると、前記テレビジョン受像機に対して、第１ＴＶ番組情報取得要求を送信し、前記テレビジョン制御手段は、前記携帯端末から前記第１ＴＶ番組情報取得要求を受信したとき、前記第１番組情報取得手段により取得された前記第１ＴＶ番組情報を前記携帯端末に送信し、前記携帯制御手段は、前記テレビジョン受像機から前記第１ＴＶ番組情報を受信したとき、該第１ＴＶ番組情報の中に、前記デジタルチューナによって受信されているＴＶ番組に対応する番組情報があるか否かを判断し、この判断の結果、対応する番組情報がある場合、前記テレビジョン受像機に対して、この番組情報に対応するＴＶ番組のＴＶ放送信号を受信して表示するように指示するＴＶ番組表示要求を送信し、前記テレビジョン制御手段は、前記携帯端末から前記ＴＶ番組表示要求を受信したとき、該ＴＶ番組表示要求の内容に基づくＴＶ放送信号を、前記チューナを用いて受信するものである。
【０００８】
請求項３の発明は、請求項２に記載のテレビジョンシステムにおいて、前記テレビジョン受像機と前記携帯端末とは、ＵＰｎＰ（Ｕｎｉｖｅｒｓａｌ  Ｐｌｕｇ  ａｎｄ  Ｐｌａｙ）の規格に従って通信を行うものである。
【０００９】
請求項４の発明は、請求項３に記載のテレビジョンシステムにおいて、前記テレビジョン受像機は、ＤＭＲ（Ｄｉｇｉｔａｌ  Ｍｅｄｉａ  Ｒｅｎｄｅｒｅｒ）とＤＭＳ（Ｄｉｇｉｔａｌ  Ｍｅｄｉａ  Ｓｅｒｖｅｒ）の機能を持ち、前記携帯端末は、ＤＭＣ（Ｄｉｇｉｔａｌ  Ｍｅｄｉａ  Ｃｏｎｔｒｏｌｌｅｒ）の機能を持つものである。
【発明の効果】
【００１０】
請求項１の発明によれば、携帯制御手段は、デジタルチューナによってＴＶ番組を受信しているときに、ユーザが携帯操作手段を用いて所定の操作を行うと、テレビジョン受像機に対して、デジタルチューナによって受信されているＴＶ番組と同じ内容のＴＶ番組を、チューナを用いて受信するように指示する。そのため、従来と異なり、ユーザが携帯端末側で視聴中のＴＶ番組に対応するテレビ側のチャンネルを探す手間を省いて、テレビジョン受像機が受信するＴＶ番組を携帯端末から容易に指示操作することができるので、ユーザの操作の手間を低減させることができる。
【００１１】
請求項２の発明によれば、携帯制御手段は、テレビジョン受像機に対して、デジタルチューナによって受信されているＴＶ番組に基づく番組情報に対応するＴＶ番組のＴＶ放送信号を受信して表示するように指示するＴＶ番組表示要求を送信する。そして、テレビジョン制御手段は、ＴＶ番組表示要求を受信したとき、ＴＶ番組表示要求の内容に基づくＴＶ放送信号を、チューナを用いて受信する。これにより、請求項１と同様な効果を的確に得ることができる。
【００１２】
請求項３の発明によれば、テレビジョン受像機と携帯端末とは、ＵＰｎＰ（Ｕｎｉｖｅｒｓａｌ  Ｐｌｕｇ  ａｎｄ  Ｐｌａｙ）の規格に従って通信を行うため、独自プロトコルに対応した専用機器や専用ソフトウェア等の導入コストをかける必要がない。そのため、テレビジョンシステムの製造コストを低減させることができる。
【発明を実施するための最良の形態】
【００１３】
以下、本発明の一実施形態に係るテレビジョンシステムについて、図１乃至図３を参照して説明する。図１は、テレビ（テレビジョン受像機）２と携帯電話（携帯端末）３とを含むテレビジョンシステム１の構成を示し、図２は、テレビ２の内部構成を示すブロック図であり、図３は、携帯電話３の内部構成を示すブロック図である。テレビ２と、携帯電話３とは、同一のホームネットワーク（ネットワーク）に接続され、相互に通信可能である。本例のテレビ２と携帯電話３とは、無線による通信を行っている。
【００１４】
テレビ２、及び携帯電話３は、ＵＰｎＰ（Ｕｎｉｖｅｒｓａｌ  Ｐｌｕｇ  ａｎｄ  Ｐｌａｙ）規格に従って通信を行う機器とする。ＵＰｎＰ規格対応機器は、各機器の操作方法や、お互いに連携する際の手順が規格として定められており、その規格に従って動作する。そのため、ネットワーク上のＵＰｎＰ規格対応機器の通信を容易に行うことができるという利点がある。
【００１５】
テレビ２は、ＤＭＲ（Ｄｉｇｉｔａｌ  Ｍｅｄｉａ  Ｒｅｎｄｅｒｅｒ）、及びＤＭＳ（Ｄｉｇｉｔａｌ  Ｍｅｄｉａ  Ｓｅｒｖｅｒ）として機能し、携帯電話３は、ＤＭＣ（Ｄｉｇｉｔａｌ  Ｍｅｄｉａ  Ｃｏｎｔｒｏｌｌｅｒ）として機能する。ＤＭＳは、コンテンツの公開を行うものであり、ＤＭＲは、ＤＭＳに保存されたコンテンツの再生を行うものである。ＤＭＣは、ＤＭＳやＤＭＲの機能を有する機器の検出、ディレクトリ検査（Ｂｒｏｗｓｅ）、及びメタデータによる検索（Ｓｅａｒｃｈ）等を行うものである。
【００１６】
テレビ２は、図２に示すように、複数のテレビジョン番組（以下、ＴＶ番組という）のそれぞれに対応するテレビジョン放送信号（以下、ＴＶ放送信号という）のうちの１つを受信するチューナ２４と、チューナ２４によって受信されたＴＶ放送信号に含まれる映像信号に基づいた映像を表示するディスプレイ（表示手段）２２と、チューナ２４によって受信されたＴＶ放送信号に含まれる音声信号に基づいた音声を出力するスピーカ（音声出力手段）２３と、ユーザによって操作され、チューナ２４が受信するＴＶ番組の切替え、すなわち、チャンネル切替え等の指示を装置に行うための操作部２６とを備える。
【００１７】
また、テレビ２は、ホームネットワークに接続するための無線ネットワークインタフェース（第１ネットワークインタフェース）２７と、各部を制御する制御用マイコン（テレビジョン制御手段）２１と、制御用マイコン２１を動作させるためのプログラムを記憶するためのＲＯＭ２５をさらに備える。テレビ２は、チューナ２４を介して受信したＴＶ番組や、後述するＥＰＧ情報等をコンテンツとして保存し、保存したコンテンツを公開や再生等することができる。
【００１８】
制御用マイコン２１は、チューナ２４によって受信される各ＴＶ番組を案内するためのＥＰＧ情報（Ｅｌｅｃｔｒｉｃ  Ｐｒｏｇｒａｍ  Ｇｕｉｄｅ；第１ＴＶ番組情報）を取得する機能（第１ＴＶ番組情報取得手段）を有する。
【００１９】
携帯電話３は、図３に示すように、複数のＴＶ番組のそれぞれに対応する地上波デジタルテレビ放送信号（以下、デジタルＴＶ放送信号）のうちの１つを受信するワンセグチューナ（デジタルチューナ）３５と、ホームネットワークに接続するための無線ネットワークインタフェース（第２ネットワークインタフェース）３８と、ユーザによって操作され、携帯電話３に指示を行うための操作部（携帯操作手段）３７と、ワンセグチューナ３５によって受信されたデジタルＴＶ放送信号に含まれる映像信号に基づいた映像を表示するディスプレイ（携帯表示手段）３２と、ワンセグチューナ３５によって受信されたデジタルＴＶ放送信号に含まれる音声信号に基づいた音声や、通話による音声を出力するスピーカ（携帯音声出力手段）３４とを備える。
【００２０】
また、携帯電話３は、音声等のデータの送受信を行うための通信部３９と、音声を入力するためのマイク３３と、携帯電話３の各部を制御する制御用マイコン（携帯制御手段）３１と、制御用マイコン３１を動作させるためのプログラムを記録するためのフラッシュメモリ３６とをさらに備える。
【００２１】
制御用マイコン３１は、ワンセグチューナ３５によって受信される各ＴＶ番組を案内するための番組タイトルや番組の詳細情報を含む番組表（第２ＴＶ番組情報）を取得する機能（第２ＴＶ番組情報取得手段）を有する。操作部３７は、テレビ２に対して、ワンセグチューナ３５によって受信されているＴＶ番組と同じ内容のＴＶ番組を、チューナ２４を用いて受信するように指示操作するためのチャンネル送信ボタン（ＴＶ番組指示操作手段）３７ａを有する。
【００２２】
次に、テレビ２が受信するＴＶ番組を、携帯電話３を用いて切替る処理の手順について、図４を参照して説明する。ここでは、ユーザが携帯電話３を用いてＴＶ番組を視聴しているものとする。
【００２３】
まず、ユーザによってチャンネル送信ボタン３７ａが押下されると（Ｓ１）、携帯電話３の制御用マイコン３１は、テレビ２に対して、チューナ２４によって受信される各ＴＶ番組を案内するＥＰＧ情報を要求するための番組情報取得要求（第１ＴＶ番組情報取得要求）を行うコマンド（Ｂｒｏｗｓｅ）を送信する（Ｓ２）。
【００２４】
そして、テレビ２の制御用マイコン２１は、番組情報取得要求を受信すると、テレビ２側のＥＰＧ情報を携帯電話３に送信する（Ｓ３）。このＥＰＧ情報は、各ＴＶ番組の案内情報と、各ＴＶ番組のそれぞれに対応するコンテンツＵＲＩの情報とを含むものである。
【００２５】
携帯電話３の制御用マイコン３１は、テレビ２からＥＰＧ情報を受信すると、このＥＰＧ情報の中に、ワンセグチューナ３５によって受信されているＴＶ番組に対応する番組情報があるか否かを判断する（Ｓ４）。具体的には、ワンセグチューナ３５によって受信中の番組の番組表の内容と、ＥＰＧ情報とを比較することにより判断する。
【００２６】
そして、上記Ｓ４の判断の結果、対応する番組情報がある場合、制御用マイコン３１は、テレビ２に対して、この番組情報に対応するＴＶ番組のＴＶ放送信号を受信して表示するように、このＴＶ番組に対応するコンテンツＵＲＩを通知するコマンド（ＳｅｔＡＶＴｒａｎｓｐｏｒｔＵＲＩ；ＴＶ番組表示要求）を送信した後（Ｓ５）、さらにこのＴＶ番組の再生開始を要求するコマンド（Ｐｌａｙ；ＴＶ番組表示要求）を送信する（Ｓ６）。
【００２７】
そして、テレビ２の制御用マイコン２１は、携帯電話３から上記Ｓ５及び上記Ｓ６の処理によるコマンドを受信したとき、制御用マイコン２１のＤＭＲ機能が、コンテンツＵＲＩの内容に基づくコンテンツ（ＴＶ番組）の再生要求を制御用マイコン２１のＤＭＳ機能に行った後（Ｓ７）、制御用マイコン２１のＤＭＳ機能がチューナ２４を用いて、コンテンツＵＲＩに対応するコンテンツ（ＴＶ番組）を受信する処理を行い（Ｓ８）、制御用マイコン２１のＤＭＲ機能がＴＶ番組（コンテンツ）を再生表示する（Ｓ９）。
【００２８】
一方、上記Ｓ４で、対応するＴＶ番組が無い場合、上記Ｓ５以降の処理を行なわないで、終了する。
【００２９】
上述したように本実施形態によれば、携帯電話３は、テレビ２に対して、ワンセグチューナ３５によって受信されているＴＶ番組に基づく番組情報に対応するＴＶ番組のＴＶ放送信号を受信して表示するように指示するコンテンツＵＲＩを通知するコマンド、及び再生開始を要求するコマンドを送信する。そして、テレビ２は、これらのコマンドを受信したとき、コンテンツＵＲＩの内容に基づくＴＶ番組を再生する。そのため、従来と異なり、ユーザが携帯電話３で視聴中のＴＶ番組に対応するテレビ側のチャンネルを探す手間を省いて、テレビ２が受信するＴＶ番組を携帯電話３から容易に指示操作することができる。そのため、ユーザの操作の手間を低減させることができる。
【００３０】
また、テレビ２は、ＤＭＳ機能とＤＭＲ機能を有し、携帯電話３は、ＤＭＣ機能を有し、テレビ２と携帯電話３とは、ＵＰｎＰの規格に従って通信を行う。このように、本実施形態によるテレビジョンシステムでは、一般に普及しているホームネットワークを利用するので、独自プロトコルに対応した専用機器や専用ソフトウェア等の導入コストをかける必要がない。そのため、テレビジョンシステムの製造コストを低減させることができる。
【００３１】
なお、本発明は、上記実施形態の構成に限定されるものではなく、発明の趣旨を変更しない範囲で種々の変形が可能である。例えば、上記実施形態では、テレビ２が受信するＴＶ番組を、携帯電話３を用いて切替える例を示したが、これに限れず、ワンセグチューナを内蔵したポータブルゲーム機がテレビに対してＴＶ番組の切替えを指示するものであってもよい。
【図面の簡単な説明】
【００３２】
【図１】本発明の一実施形態に係るテレビと、携帯電話とを含むテレビジョンシステムの概略の構成図。
【図２】上記テレビの内部構成を示すブロック図。
【図３】上記携帯電話の内部構成を示すブロック図。
【図４】上記テレビが受信するＴＶ番組を、携帯電話を用いて切替る処理の手順を示すフローチャート。
【符号の説明】
【００３３】
１  テレビジョンシステム
２  テレビ（テレビジョン受像機）
３  携帯電話（携帯端末）
２１  制御用マイコン（テレビジョン制御手段）
２２  ディスプレイ（表示手段）
２３  スピーカ（音声出力手段）
２４  チューナ
２６  操作手段
２７  無線ネットワークインタフェース（第１ネットワークインタフェース）
３１  制御用マイコン（携帯制御手段）
３２  ディスプレイ（携帯表示手段）
３４  スピーカ（携帯音声出力手段）
３５  ワンセグチューナ（デジタルチューナ）
３７  操作部（携帯操作手段）
３７ａ  チャンネル送信ボタン（ＴＶ番組指示操作手段）
３８  無線ネットワークインタフェース（第２ネットワークインタフェース）
【図１】
2008271197.tif 000003
【図２】
2008271197.tif 000004
【図３】
2008271197.tif 000005
【図４】
2008271197.tif 000006